(57)【要約】【課題】  通線距離を伸ばすことができるケーブル収容管路へのケーブル通線方法及びケーブル通線治具を提供する。【解決手段】  複数のケーブル１ａ〜１ｃが収容されたケーブル収容管路２に追加して新たなケーブル６を通線するに際して、ケーブル収容管路２内の底部に隣接して配置された二本のケーブル１ｂ、１ｃの外周面とケーブル収容管路２の内周面とで区画されたスペース３に、新たなケーブル６を挿通するようにしたもの。【選択図】      図１
2005102355.tif 000002
【特許請求の範囲】
【請求項１】
複数のケーブルが収容されたケーブル収容管路に追加して新たなケーブルを通線するに際して、ケーブル収容管路内の底部に隣接して配置された二本のケーブルの外周面とケーブル収容管路の内周面とで区画されたスペースに、新たなケーブルを挿通するようにしたことを特徴とするケーブル収容管路へのケーブル通線方法。
【請求項２】
三本のケーブルが俵積み状態で収容されたケーブル収容管路に追加して新たなケーブルを通線するに際して、ケーブル収容管路内の底部に隣接して配置された二本のケーブルの外周面とケーブル収容管路の内周面とで区画されたスペースに、新たなケーブルを挿通するようにしたことを特徴とするケーブル収容管路へのケーブル通線方法。
【請求項３】
上記スペースに新たなケーブルを挿通する際に、上記スペースにケーブル収容管路の一端側から他端側にロッドを挿通させ、そのロッドを利用して上記スペースに新たなケーブルを挿通するようにした請求項１又は２記載のケーブル収容管路へのケーブル通線方法。
【請求項４】
上記ロッドの先端に、上記スペースに挿通可能な大きさに形成された治具を装着し、その治具を先頭にしてロッドを上記ケーブル収容管路の一端側から上記スペースに挿通させて他端側から突出させるようにした請求項３記載のケーブル収容管路へのケーブル通線方法。
【請求項５】
上記スペースに新たなケーブルを挿通する際に、第１ロッドの先端に雄型治具を取り付け、第２ロッドの先端に雌型治具を取り付け、第１ロッドを雄型治具を先頭にケーブル収容管路の一端側から上記スペースに挿入し、第２ロッドを雌型治具を先頭にケーブル収容管路の他端側から上記スペースに挿入し、雄型治具と雌型治具とを上記スペース内にて係合させて第１ロッドと第２ロッドとを一体化し、一体化した第１及び第２ロッドを利用して上記スペースに新たなケーブルを挿通するようにした請求項１又は２記載のケーブル収容管路へのケーブル通線方法。
【請求項６】
複数のケーブルが収容されたケーブル収容管路に追加して新たなケーブルを通線する際に用いる治具であって、ケーブル収容管路内の底部に隣接して配置された二本のケーブルの外周面とケーブル収容管路の内周面とで区画されたスペースに挿通可能な大きさに形成された治具本体と、該治具本体の後部に形成され当該治具本体を上記スペースに押し込むためのロッドが装着される装着部とを有することを特徴とするケーブル収容管路へのケーブル通線治具。
【請求項７】
上記治具本体は、相互に係合される一組の雄型治具本体と雌型治具本体とからなり、それら雄型治具本体及び雌型治具本体の夫々の後部に、上記装着部を形成した請求項６記載のケーブル収容管路へのケーブル通線治具。
【請求項８】
ケーブル収容管路内の底部に隣接して配置された二本のケーブルの外周面とケーブル収容管路の内周面とで区画されたスペースに新たなケーブルを挿通し、その新たなケーブルを用いて上記収容管路内の既設ケーブルの表面温度を測定するようにしたケーブル収容管路内の温度測定方法。
【発明の詳細な説明】
【技術分野】
【０００１】
本発明は、複数のケーブルが収容されたケーブル収容管路に追加して新たなケーブルを通線する方法並びにそれに用いる治具、及び新たに通線されたケーブルを利用したケーブル収容管路内の温度測定方法に関する。
【背景技術】
【０００２】
従来、図６に示すように、三本の電力ケーブルａが収容された既設のケーブル収容管路ｂに、新たなケーブル（光ケーブル等）を追加する場合、各電力ケーブルａの上方の空きスペースｃを利用し、その空きスペースｃに新たなケーブルを挿通するようにしていた（特許文献１及び２参照）。その手順の一例を図７を用いて説明する。
【０００３】
先ず、図７（ａ）に示すように、上記空きスペースｃにケーブル収容管路ｂの一端側から他端側にロッド（剛性のある棒状体）ｄを挿通させる。そして、図７（ｂ）に示すように、他端側に露出したロッドｄの先端に通線用のひもｅを結束する。そして、図７（ｃ）に示すように、一端側のロッドｄを引っ張って通線用ひもｅを一端側から露出させ、図７（ｄ）に示すように、ロッドｄを取り外してそのひもｅに追加すべき新たなケーブルｆを結束する。そして、他端側のひもｅを引っ張って新規ケーブルｆを他端側まで挿通させる。
【０００４】
【特許文献１】特開平１１−１７８１３９号公報
【特許文献２】特開平７−７２３６０号公報
【発明の開示】
【発明が解決しようとする課題】
【０００５】
しかし、上記方法では、ロッドｄの断面積に対する空きスペースｃが広すぎるため、ロッドｄを軸方向に押し込むときに空きスペースｃ内にてロッドｄの先端部が左右上下に振れ回ってロッドｄの軸方向押込力が分散してしまい、５０ｍ程度の距離までしか通線できなかった。また、ケーブル収容管路ｂが屈曲して敷設されている場合、その屈曲部にてロッドｄの先端部が管路ｂの内面に引っ掛かり、さらに通線可能距離が短くなっていた。
【０００６】
また、長距離の通線を可能とするためには、ケーブル収容管路ｂの両端側からそれぞれロッドｄを空きスペースｃに挿入し、ロッドｄ、ｄ同士の先端部を連結する技術も考えられるが、各ロッドｄ、ｄを軸方向に押し込んだ際にロッドｄ、ｄ同士の先端部が空きスペースｃ内にて自由に振れ回るため、先端部同士を連結することが困難であった。
【０００７】
以上の事情を考慮して創案された本発明の目的は、通線距離を伸ばすことができるケーブル収容管路へのケーブル通線方法及びケーブル通線治具を提供することにある。
【課題を解決するための手段】
【０００８】
上記課題を解決するために創案された第１の発明は、複数のケーブルが収容されたケーブル収容管路に追加して新たなケーブルを通線するに際して、ケーブル収容管路内の底部に隣接して配置された二本のケーブルの外周面とケーブル収容管路の内周面とで区画されたスペースに、新たなケーブルを挿通するようにしたものである。
【０００９】
第２の発明は、三本のケーブルが俵積み状態で収容されたケーブル収容管路に追加して新たなケーブルを通線するに際して、ケーブル収容管路内の底部に隣接して配置された二本のケーブルの外周面とケーブル収容管路の内周面とで区画されたスペースに、新たなケーブルを挿通するようにしたものである。  
上記スペースに新たなケーブルを挿通する際に、上記スペースにケーブル収容管路の一端側から他端側にロッドを挿通させ、そのロッドを利用して上記スペースに新たなケーブルを挿通するようにしてもよい。上記ロッドの先端に、上記スペースに挿通可能な大きさに形成された治具を装着し、その治具を先頭にしてロッドを上記ケーブル収容管路の一端側から上記スペースに挿通させて他端側から突出させるようにしてもよい。
【００１０】
上記スペースに新たなケーブルを挿通する際に、第１ロッドの先端に雄型治具を取り付け、第２ロッドの先端に雌型治具を取り付け、第１ロッドを雄型治具を先頭にケーブル収容管路の一端側から上記スペースに挿入し、第２ロッドを雌型治具を先頭にケーブル収容管路の他端側から上記スペースに挿入し、雄型治具と雌型治具とを上記スペース内にて係合させて第１ロッドと第２ロッドとを一体化し、一体化した第１及び第２ロッドを利用して上記スペースに新たなケーブルを挿通するようにしてもよい。
【００１１】
第３の発明は、複数のケーブルが収容されたケーブル収容管路に追加して新たなケーブルを通線する際に用いる治具であって、ケーブル収容管路内の底部に隣接して配置された二本のケーブルの外周面とケーブル収容管路の内周面とで区画されたスペースに挿通可能な大きさに形成された治具本体と、該治具本体の後部に形成され当該治具本体を上記スペースに押し込むためのロッドが装着される装着部とを有するものである。上記治具本体は、相互に係合される一組の雄型治具本体と雌型治具本体とからなり、それら雄型治具本体及び雌型治具本体の夫々の後部に上記装着部を形成してもよい。
【００１２】
第４の発明は、ケーブル収容管路内の底部に隣接して配置された二本のケーブルの外周面とケーブル収容管路の内周面とで区画されたスペースに新たなケーブルを挿通し、その新たなケーブルを用いて上記収容管路内の既設ケーブルの表面温度を測定するようにしたものである。
【発明の効果】
【００１３】
本発明によれば、ケーブル収容管路内の底部に隣接して配置された二本のケーブルの外周面とケーブル収容管路の内周面とで区画されたスペースは、従来の空きスペースよりも狭いので、軸方向の押込力がスペース内にて左右上下に逃げ難くなり、押込力を効率よく軸方向に伝達でき、通線距離を伸ばすことができる。
【発明を実施するための最良の形態】
【００１４】
本発明の好適実施形態を添付図面に基づいて説明する。
【００１５】
本実施形態は、図１に示すように、三本のケーブル（電力用等）１ａ、１ｂ、１ｃが俵積み状態で収容されたケーブル収容管路２に追加して新たなケーブル（光ファイバ等）を通線するに際して、ケーブル収容管路２内の底部に隣接して配置された二本のケーブル１ｂ、１ｃの外周面とケーブル収容管路２の内周面とで区画された底部スペース３に、新たなケーブルを挿通するようにしたものである。但し、上記既設ケーブル１ａ〜１ｃは電力用に限らず、上記新規ケーブルは光ファイバに限らない。また、既設ケーブル１ａ〜１ｃは、二本以上であれば三本俵積みに限られない。
【００１６】
ここで、収容管路２の半径をＲ、既設ケーブル１ａ〜１ｃの半径をｒとすると、新規ケーブルが挿通される底部スペース３の最大半径Ｘは幾何学的に次式で求められる。
【００１７】
Ｘ＝Ａ2／（２（ｒ＋Ａ））   …（１）
Ａ＝Ｒ−（Ｒ2−２Ｒｒ）0.5  …（２）
上記スペース３への新規ケーブルの敷設手順を図２を用いて説明する。
【００１８】
先ず、図２（ａ）に示すように、上記底部スペース３にケーブル収容管路２の一端側から他端側にロッド（剛性のある棒状体）４を挿通させる。このとき、上記底部スペース３は従来の図６に示す空きスペースｃよりも狭いので、ロッド４の根元側に軸方向前方への押し込み力が加えられたとき、ロッド４の先端側が左右上下に振れ回り難くなり、押込力を効率よく軸方向に伝達でき、ロッド４の押込可能距離（即ち通線距離）を伸ばすことができる。
【００１９】
また、既設ケーブル１ａ〜１ｃが三本俵積みされているので、上側ケーブル１ａの自重が下側ケーブル１ｂ、１ｃに加わり、それらケーブル１ｂ、１ｃが収容管路２の底面に押し付けられる。よって、挿通されるロッド４が底部スペース３内にて振れ回ったとしても、ロッド４がケーブル１ｂ、１ｃの間から上方のスペースに飛び出すことが抑えられる。
【００２０】
その後、図２（ｂ）に示すように、他端側に露出したロッド４の先端に通線用のひも５を結束する。そして、図２（ｃ）に示すように、一端側のロッド４を引っ張って通線用ひも５を一端側から露出させ、図２（ｄ）に示すように、ロッド４を取り外してそのひも２に追加すべき新たなケーブル６を結束する。そして、他端側のひも５を引っ張って新規ケーブル６を他端側まで挿通させる。
【００２１】
なお、図２（ｂ）にて、他端側に露出したロッド４の先端に直接新規ケーブル６を接続し、図２（ｃ）に示すように、一端側のロッド４を引っ張って接続した新規ケーブル６を他端側から一端側に引き込み、底部スペース３に敷設することも可能である。また、図２（ｂ）の一端側のロッド４に直接新規ケーブル６を接続し、他端側のロッド４を引っ張って接続した新規ケーブル６を一端側から他端側に引き込み、底部スペース３に敷設してもよい。
【００２２】
また、図２（ａ）において、ロッド４の先端に、上記底部スペース３に挿通可能な大きさに形成された治具７を圧入等で装着し、その治具７を先頭にしてロッド４を上記ケーブル収容管路２の一端側から上記底部スペース３に挿通させて他端側から突出させるようにしてもよい。上記治具７は、例えば図３に示すように、上記底部スペース３に挿通可能な大きさに形成された治具本体８と、治具本体８の後部に形成され治具本体８を底部スペース３に押し込むためのロッド４が装着される装着部９とを有する。
【００２３】
治具本体８は、最大外径が２Ｘ以下（２Ｘより僅かに小さい程度が好ましいがＸ以下でも構わない）に形成されており、図例では、側面視花蕾状に形成された枠を互いに直交して連結した先細のケージ１０からなるが、先細テーパ状の中空体や中実体等（テーパ体）を用いてもよい。他方、装着部９は、ロッド４が圧入装着される穴からなる。
【００２４】
かかる治具７をロッド４の先端部に装着し、治具７を先頭としてロッド４を図２（ａ）に示すように底部スペース３に挿通することで、ロッド４を軸方向に押し込むときのロッド４の先端部の振れ回りを抑制でき、且つロッド４の先端部の収容管路２の内面への引っ掛かりを抑制できるので、押込力を効率よくロッド４の４前進力として伝達でき、ロッド４の押込可能距離を一層伸ばすことができる。
【００２５】
また、図３に示す雄型治具７を第１ロッド４の先端に圧入等で取り付け、図４に示す雌型治具１１を第２ロッド（図示せず）の先端に圧入等で取り付け、第１ロッド４を雄型治具７を先頭に収容管路２の一端側から底部スペース３に挿入すると共に、第２ロッドを雌型治具１１を先頭に収容管路２の他端側からに底部スペース３に挿入し、雄型治具７と雌型治具１１とを底部スペース３内にて係合させて第１ロッド４と第２ロッドとを一体化し、一体化した第１及び第２ロッドを利用して既述のようにして底部スペース３に新規ケーブル６を挿通するようにしてもよい。
【００２６】
雄型治具７の構成は、図３に示すように、既述の通りケージ１０を有する。他方、雌型治具１１は、図４に示すように、底部スペース３に挿通可能な大きさに形成された治具本体１２と、治具本体１２の後部に形成され治具本体１２を底部スペース３に押し込むための第２ロッドが装着される装着部１３とを有する。治具本体１２は、最大外径が２Ｘ以下（２Ｘより僅かに小さい程度が好ましいがＸ以下でも構わない）に形成されており、先端部にフック１４が周方向に捻って形成された線状部品を、フック１４が内方に向くように周方向に９０°間隔で４本連結し、全体的に僅かにテーパ状に形成されている。
【００２７】
この構成によれば、第１ロッド４により収容管路２の一方側から底部スペース３に挿入された雄型治具７と、第２ロッドにより収容管路２の他方側から底部スペース３に挿入された雌型治具１１とは、底部スペース３内にて突き合わされ、フック１４とケージ１０とが重合する。よって、その状態で少なくとも一方のロッドを他方にロッドに対して軸回りに相対的に回転させることで、フック１４とケージ１０とが係合し、両ロッドが一体となる。
【００２８】
その後、一体化した第１及び第２ロッドを一つのロッドとして捉えて利用することで、既述のようにして新規ケーブル６を底部スペース３に挿通することができる。こうすれば、ロッド４の押込可能距離の略二倍まで新規ケーブル６の通線距離を延ばすことができる。
【００２９】
また、こうして底部スペース３に挿通された新規ケーブル６は、従来の空きスペースｃ（図６参照）と比べると収容管路２内の既設の電力ケーブル１ａ〜１ｃに近いので、既設電力ケーブル１ａ〜１ｃ（特に１ｂ、１ｃ）の表面温度測定に利用した場合、優れた性能を発揮する。
【００３０】
以下、図１に示すケーブル収容管路２の底部スペース３に新規ケーブル６を挿通する場合と、その他のスペース（従来の空きスペースｃに）に新規ケーブル６を挿通する場合とにおける、ロッド４の挿入可能長さの測定実験を説明する。
【００３１】
図５（ａ）は第１マンホールＭ１と第２マンホールＭ２とその間に敷設されたケーブル収容管路２の平面図であり、図５（ｂ）はその側面図である。図示するように、第１マンホールＭ１から第２マンホールＭ２に向かって約１００ｍの地点で水平方向に小さな曲がりが設けられており、第１マンホールＭ１から第２マンホールＭ２に向かって鉛直方向に下がっている。
【００３２】
また、実験に用いたケーブル類の寸法は、収容管路２の半径Ｒ＝１２５ｍｍ、既設ケーブル１ａ〜１ｃの半径ｒ＝４５ｍｍ、新規ケーブル６が挿通される底部スペース３の最大半径Ｘ＝１６．６ｍｍ、管路２の全長が２５５ｍとなっている。
【００３３】
実験結果を以下の表に記す。
【００３４】
【表１】
2005102355.tif 000003
【００３５】
上記実験は治具７を用いない通線可能距離を確認したものである。ここで、ロッド４は、剛性を有するとはいっても数十ｍ〜数百ｍとなれば撓みが発生するため、第１マンホールＭ１から約１００ｍ地点の小さな曲がりにてその曲がりに応じて撓み、引っ掛かることなく押込距離を延ばすことができる。
【００３６】
そして、上述の雄型治具７と雌型治具１０とを用い、ケーブル収容管路２の両端（第１マンホールＭ１、第２マンホールＭ２）からそれぞれ第１及び第２ロッドを挿入することで、両ロッドを底部スペース３内にて接続できることを確認した。
【図面の簡単な説明】
【００３７】
【図１】本発明の一実施形態を示すケーブル収容管路の断面図である。
【図２】上記実施形態に係る新規ケーブルの通線工程を示す説明図であり、（ａ）は第１工程、（ｂ）は第２工程、（ｃ）は第３工程、（ｄ）は第４工程を示す。
【図３】雄型治具の説明図であり、（ａ）は一部断面側面図、（ｂ）は正面図である。
【図４】雌型治具の説明図であり、（ａ）は一部断面側面図、（ｂ）は正面図である。
【図５】ケーブル収容管路の説明図であり、（ａ）は平面図、（ｂ）は側面図である。
【図６】ケーブル収容管路の断面図である。
【図７】従来例を示す新規ケーブルの通線工程を示す説明図である。
【符号の説明】
【００３８】
１ａ  ケーブル（電力ケーブル）
１ｂ  ケーブル（電力ケーブル）
１ｃ  ケーブル（電力ケーブル）
２  ケーブル収容管路
３  スペース（底部スペース）
４  ロッド
６  新たなケーブル
７  治具（雄型治具）
９  装着部
１１  雌型治具
１３  装着部
【図１】
2005102355.tif 000004
【図２】
2005102355.tif 000005
【図３】
2005102355.tif 000006
【図４】
2005102355.tif 000007
【図５】
2005102355.tif 000008
【図６】
2005102355.tif 000009
【図７】
2005102355.tif 000010